(57)【要約】【課題】防水性能を大幅に向上させて、耐久性と防水性に優れた屋根構造を提供する。【解決手段】屋根の下地１の上面に下地用シートが敷設され、下地用シートの上面に吊子３の載置部３ａが載置されて、載置部３ａと下地用シートを貫通して下地１に至る固定具４によって、吊子３が下地１に固定され、複数枚の鋼板製の屋根材６が、吊子３の立上げ部３ｂを介在させた状態で互いに折曲された折曲部７を介して接続される屋根構造であって、下地用シートとして塩化ビニル系の防水シート２が使用され、塗膜防水層５が、防水シート２の上面と吊子３の載置部３ａの上面に亘って形成され、かつ、載置部３ａの上面において固定具４の貫通部を覆う状態に形成される。【選択図】図１
2020097827.tif 000002
【特許請求の範囲】
【請求項１】
屋根の下地の上面に下地用シートが敷設され、その下地用シートの上面に吊子の載置部が載置されて、当該吊子の載置部と前記下地用シートを貫通して前記下地に至る固定具によって、前記吊子が前記下地に固定され、前記下地用シートの上面に敷設された複数枚の鋼板製の屋根材が、前記吊子の立上げ部を介在させた状態で互いに折曲された折曲部を介して接続される屋根構造であって、
前記下地用シートとして塩化ビニル系の防水シートが使用され、塗膜防水層が、その防水シートの上面と前記吊子の載置部の上面に亘って形成され、かつ、当該載置部の上面において前記固定具の貫通部を覆う状態に形成される屋根構造。
【請求項２】
前記屋根が勾配屋根であり、前記折曲部が、その勾配屋根の勾配方向に沿って配設されて、その折曲部に雪止め部材が取付けられる請求項１に記載の屋根構造。
【請求項３】
前記下地に設けられた樋の内面が、前記鋼板製の屋根材で覆われることなく、前記防水シートと前記塗膜防水層で覆われる請求項１または２に記載の屋根構造。
【発明の詳細な説明】
【技術分野】
【０００１】
本発明は、屋根の下地の上面に下地用シートが敷設され、その下地用シートの上面に吊子の載置部が載置されて、当該吊子の載置部と前記下地用シートを貫通して前記下地に至る固定具によって、前記吊子が前記下地に固定され、前記下地用シートの上面に敷設された複数枚の鋼板製の屋根材が、前記吊子の立上げ部を介在させた状態で互いに折曲された折曲部を介して接続される屋根構造に関する。
【背景技術】
【０００２】
このような屋根構造では、従来、下地用シートとしてアスファルトルーフィングが使用され、その上面に載置された吊子が、アスファルトルーフィングなどを貫通する固定具により屋根の下地に固定され、更に、アスファルトルーフィングや吊子の載置部の上にポリエチレンシートが載置され、その上面に敷設されたＳＵＳ３０４からなる複数枚の屋根材が、吊子の立上げ部を介在させた状態で互いに折曲されて接続された構成のものが知られている（例えば、特許文献１参照）。
【先行技術文献】
【特許文献】
【０００３】
【特許文献１】特開平１０−６１１１８号公報（特に、図３参照）
【発明の概要】
【発明が解決しようとする課題】
【０００４】
上記特許文献に記載の従来構造によれば、ＳＵＳ３０４からなる鋼板製の屋根材が、下地用シートとしてのアスファルトルーフィングを保護するので、屋根の耐久性を高めることになる。しかしながら、下地用シートがアスファルトルーフィングであるから、防水性の面で十分ではなく、この点に改良の余地がある。
例えば、屋根が陸屋根の場合、屋根の勾配が比較的小さい場合、あるいは、積雪によるせき止めで滞留水が生じる場合など、屋根材上に比較的長時間に亘って滞留水が残存する状況下では、その滞留水が屋根材の接続箇所などからポリエチレンシート側へ浸入することになる。ところが、ポリエチレンシートはアスファルトルーフィングや吊子の載置部の上に載置されているだけなので、滞留水がポリエチレンシートと吊子との間などからアスファルトルーフィング側へ浸入し、更に、固定具の貫通孔などからアスファルトルーフィングを透過して下地側へと浸入し、最終的に、漏水により下地の劣化を早めるという問題がある。
【０００５】
本発明は、このような従来の問題点に着目したもので、その目的は、防水性能を大幅に向上させて、耐久性と防水性に優れた屋根構造を提供することにある。
【課題を解決するための手段】
【０００６】
本発明の第１特徴構成は、屋根の下地の上面に下地用シートが敷設され、その下地用シートの上面に吊子の載置部が載置されて、当該吊子の載置部と前記下地用シートを貫通して前記下地に至る固定具によって、前記吊子が前記下地に固定され、前記下地用シートの上面に敷設された複数枚の鋼板製の屋根材が、前記吊子の立上げ部を介在させた状態で互いに折曲された折曲部を介して接続される屋根構造であって、前記下地用シートとして塩化ビニル系の防水シートが使用され、塗膜防水層が、その防水シートの上面と前記吊子の載置部の上面に亘って形成され、かつ、当該載置部の上面において前記固定具の貫通部を覆う状態に形成される点にある。
【０００７】
本構成によれば、屋根の下地の上面に敷設される下地用シートとして塩化ビニル系の防水シートが使用されるので、例えば、アスファルトルーフィングなどに比べて防水性能は大幅に向上する。更に、塗膜防水層が、その防水シートの上面と吊子の載置部の上面に亘って形成され、かつ、その載置部の上面において固定具の貫通部を覆う状態に形成されるので、吊子を固定するための固定具が、吊子の載置部から防水シートを貫通して下地にまで至っているにもかかわらず、その貫通部からの水の浸入は、塗膜防水層により防止される。
そして、その防水シートは、防水シートの上面に敷設された鋼板製の屋根材によって確実に保護されるので、耐久性と防水性に優れた屋根構造を提供することができる。
【０００８】
本発明の第２特徴構成は、前記屋根が勾配屋根であり、前記折曲部が、その勾配屋根の勾配方向に沿って配設されて、その折曲部に雪止め部材が取付けられる点にある。
【０００９】
本構成によれば、屋根が勾配屋根であるから、屋根材上での滞留水の残存を極力回避することができ、たとえ勾配が小さい屋根で屋根材上に長時間に亘って滞留水が残存する場合でも、上述した防水シートと塗膜防水層により、屋根の下地への滞留水の浸入は回避される。
また、勾配屋根の勾配方向に沿う折曲部に雪止め部材が取付けられるので、積雪に際しては、その雪止め部材により滑雪が回避される。そして、雪止め部材によりせき止められた堆積雪が融解して長時間に亘って滞留しても、上述したように、屋根の下地への滞留水の浸入は回避される。
【００１０】
本発明の第３特徴構成は、前記下地に設けられた樋の内面が、前記鋼板製の屋根材で覆われることなく、前記防水シートと前記塗膜防水層で覆われる点にある。
【００１１】
本構成によれば、下地に設けられた樋の内面が、鋼板製の屋根材で覆われることなく、防水シートと塗膜防水層で覆われるので、言い換えると、屋根の下地に比べて複雑な形状の樋の内面に関しては、比較的施工の困難な鋼板製の屋根材は敷設されず、施工の容易な防止シートと塗膜防水層で覆われるので、樋部における施工性の向上と防水性の確保が可能となる。
それに加えて、例えば、主として防水シートのみで樋の内面を覆って、複雑な形状部分に関しては塗膜防水層で補助的に覆うなどの対処が可能となり、樋の内面形状などに応じた適切な施工が可能となる。
【図面の簡単な説明】
【００１２】
【図１】屋根構造を示す要部の縦断正面図
【図２】屋根構造を示す要部の一部切欠き平面図
【図３】屋根構造を示す要部の縦断正面図
【図４】屋根構造を示す要部の斜視図
【発明を実施するための形態】
【００１３】
本発明による屋根構造の実施形態を図面に基づいて説明する。
本発明の屋根構造は、図１および図２（図２では、その下部に防水シートと吊子を載置した状態を、中間部に塗膜防水層を形成した状態を、上部に屋根材を敷設した状態を示している。特に図２の下部を参照）に示すように、屋根の下地１の上面に敷設される下地用シートとして塩化ビニル系の防水シート２が使用され、その塩化ビニル系の防水シート２が、例えば、コンクリートからなる勾配屋根の下地１の上面に敷設される。
防水シート２の上面には、載置部３ａとその載置部３ａに直交する立上げ部３ｂを一体的に備えた長尺状の複数本の吊子３が、図２の下部に示すように、勾配屋根の勾配方向Ａに直交する方向に一定の間隔を隔てた状態で勾配方向Ａに沿って配設される。つまり、各吊子３の載置部３ａが防水シート２の上面に載置され、固定具としての固定ビス４が、図１に示すように、吊子３の載置部３ａに設けられた貫通孔に挿通され、かつ、防水シート２を貫通して屋根の下地１に螺合されて、吊子３が下地１に固定される。
【００１４】
固定ビス４により吊子３を下地１に固定した状態で、図１および図２（図２の中間部）に示すように、ウレタン系の塗膜防水層５が、防水シート２の上面と吊子３の載置部３ａの上面に亘り、かつ、載置部３ａの上面において固定ビス４の貫通部を覆う状態でほぼ全面に亘って形成される。つまり、勾配屋根の勾配方向Ａに沿う方向では、屋根の下地１の上端から下端に至るまでの全面に亘って連続し、また、勾配方向Ａに直交する方向では、吊子３の立上げ部３ｂどうしの間の全面と立上げ部３ｂの下方位置に至るまで連続して形成される。
この塗膜防水層５が形成された防水シート２の上面には、図２の上部にも示すように、複数枚の鋼板製の屋根材６が勾配屋根の勾配方向Ａに沿って、かつ、隣接する屋根材６の端部が立上げ部３ｂの両面に沿うように折曲されて敷設され、吊子３の立上げ部３ｂを介在させた状態で互いに折曲された折曲部７を介して接続される。
【００１５】
勾配屋根の下地１には、図３に示すように、勾配方向Ａに直交する方向、言い換えると、折曲部７に直交する方向に沿って排水用の樋８が設けられる。この樋８は、雨水などが、図３の紙面に直交する方向において、その手前側と奥側へ分流するように、または、いずれか一方に流れるように設けられ、適宜箇所には排水管９が接続され、排水管９の上方は雨水の通流を許容する蓋体１０で覆われる。この樋８に関しては、鋼板製の屋根材６で覆われることなく、その内面の全面が下地用シートと同じ塩化ビニル系の防水シート２で一体的に覆われ、その防水シート２の上面はウレタン系の塗膜防水層５で覆われる。
そして、屋根材６から上方へ突出する折曲部７には、必要に応じて、図４の（ａ）に示すように、雪止め部材１１の一例であるアングル型雪止め１１ａ、または、図４の（ｂ）に示すように、羽根型雪止め１１ｂなどが取付けられる。
【００１６】
〔別実施形態〕
（１）先の実施形態では、塗膜防水層５の施工性の向上を図るため、塗膜防水層５が、防水シート２の上面から吊子３の載置部３ａを経て立上げ部３ｂの下方位置に至るまでの全面に亘って形成された構成を示した。しかし、塗膜防水層５は、最小限、防水シート２の上面と吊子３の載置部３ａの上面に亘って、かつ、載置部３ａの上面において固定ビス４の貫通部を覆う状態に形成されれば十分である。
同様に、樋８の内面に関しても、例えば、樋８の内面の全面を主として塩化ビニル系の防水シート２のみで覆って、複雑な形状部分については塗膜防水層５で補助的に覆うなどの対処が可能である。
【００１７】
（２）先の実施形態では、排水用の樋８が、屋根の下地１の中間部に設けられた構成を示したが、屋根の下地１の端部に樋８が設けられる場合にも適用可能である。
更に、アングル型や羽根型の雪止め部材１１は必ずしも必要なものではなく、また、本願発明は、勾配屋根に限らず、陸屋根にも適用可能である。
そして、防水効果を更に一層完璧にするため、例えば、屋根材６と吊子３の立上げ部３ｂとの折曲部７において、屋根材６と吊子３の立上げ部３ｂとの間に防水用のシートを介在させて実施することも、また、固定ビス４による吊子３の載置部３ａや防水シート２の貫通部などに防水用のシール材を充填して実施することも可能である。
【符号の説明】
【００１８】
１        屋根の下地
２        塩化ビニル系の防水シート
３        吊子
３ａ      吊子の載置部
３ｂ      吊子の立上げ部
４        固定具
５        塗膜防水層
６        鋼板製の屋根材
７        折曲部
８        樋
１１      雪止め部材
Ａ        勾配屋根の勾配方向
【図１】
2020097827.tif 000003
【図２】
2020097827.tif 000004
【図３】
2020097827.tif 000005
【図４】
2020097827.tif 000006